(57)【特許請求の範囲】
【請求項１】
複数の差込口を備えるパネルからなる、ダブルコンセントを含むユニバーサル家電アースコンセントであって、
前記パネルはケースに結合され、前記ケース内には、前記パネルに対応するとともに各国の家電プラグに接続される極性端子セットが設けられ、前記ケースと前記パネルの間には、南アフリカのプラグの規格に対応するセーフティー装置が設けられ、
その内、前記パネルには、第一ライブ（Ｌ）差込口、第一ニュートラル（Ｎ）差込口を有する第一差込口セットが設けられ、前記第一差込口セットは南アフリカのプラグの規格に対応する第一アース領域を備え、前記第一差込口セットには、同軸に沿って順番に第二差込口セットが設けられ、
前記第二差込口セットは、イギリスのプラグの規格に対応する第二アース領域と、前記第二アース領域の一側に配置されるとともにインドのプラグの規格に対応する第三アース領域と、前記第三アース領域の一側に配置されるとともに中国とオーストラリアのプラグ１０Ａ及び１６Ａ規格に対応する第四アース領域と、前記第四アース領域に隣接するとともにデンマークのプラグの規格に対応する第五アース領域と、前記第五アース領域に対して垂直に設けられるとともにアメリカ式２５０Ｖのフィリピンのプラグ１０Ａ規格に対応する第六アース領域と、前記第六アース領域の一側に設けられるとともにアメリカ式プラグ１５Ａの規格に対応する第七アース領域と、第七アース領域に隣接するとともにアメリカ式プラグ２０Ａの規格に対応する第八アース領域と、前記第八アース領域の一側に配置されるとともに中東地域のプラグの規格に対応する第九アース領域と、前記第九アース領域に隣接するとともにイスラエルのプラグの規格に対応する第十アース領域と、前記第九アース領域及び第十アース領域の一側に形成するとともにブラジルプラグ規格に対応する第十一アース領域と、前記第十一アース領域の一側に形成するとともに前記第十一アース領域に連通し、さらにイタリアのプラグの規格に対応する第十二アース領域と、前記第十二アース領域の一側に形成するとともにスイスのプラグの規格に対応する第十三アース領域と、アメリカ式１２５Ｖ二種のプラグの規格に対応する第十四アース領域及び第十五アース領域とを備え、
前記パネルは、ユニバーサル２５０Ｖプラグの規格に符合するとともに第二差込口セットに対応する第三差込口セットと、平刃、丸２ピン、アメリカ式１２５Ｖのプラグの規格に符合するとともに前記第二差込口セットに対応する第四差込口セットと、アメリカ式と平刃型プラグ規格に対応するとともに前記第二差込口セットに対応する第五差込口セットとを含み、前記第三差込口セットは、平刃プラグ形態と丸２ピンプラグ形態及び各国汎用形態を有するコネクタープラグの規格に対応し、
その内、前記第三差込口セットと前記第四差込口セットは、ダブルプラグの差込口を形成することを特徴とする、ダブルコンセントを含むユニバーサル家電アースコンセント。
【請求項２】
前記極性端子セットは、前記第二差込口セット、前記第三差込口セット、前記第四差込口セット及び第五差込口セットと、ブラジル、イタリア、スイス、アメリカ式１２５Ｖの二種プラグの規格、アメリカ式と平刃型プラグの規格及び平刃、丸２ピンとアメリカ式１２５Ｖ二種のプラグの規格のプラグの差込みにそれぞれ対応することを特徴とする、請求項１に記載のダブルコンセントを含むユニバーサル家電アースコンセント。
【請求項３】
前記パネルは、複数の世界各国の差込口を備える第一カバーパネルに螺合されることを特徴とする、請求項１に記載のダブルコンセントを含むユニバーサル家電アースコンセント。
【請求項４】
前記第一差込口セットと前記第三差込口セット及び第四差込口セットと前記第二差込口セットは、南アフリカのプラグの規格に対応するとともに、イギリス、インド、中国とオーストラリア１０Ａ及び１６Ａ、デンマーク、アメリカ式２５０Ｖのフィリピン、アメリカ式プラグ１５Ａ及び２０Ａ、中東地域、イスラエル、ブラジル、イタリア、スイス、アメリカ式１２５Ｖ二種、平刃、丸２ピン及びアメリカ式１２５Ｖのプラグの規格の差込みに対応し、ダブルプラグの差込口を形成することを特徴とする、請求項１に記載のダブルコンセントを含むユニバーサル家電アースコンセント。
【請求項５】
前記第一差込口セットと前記第三差込口セット及び第五差込口セットと前記第二差込口セットは、南アフリカのプラグの規格に対応するとともに、イギリス、インド、中国とオーストラリア１０Ａ及び１６Ａ、デンマーク、アメリカ式２５０Ｖのフィリピン、アメリカ式プラグ１５Ａ及び２０Ａ、中東地域、イスラエル、ブラジル、イタリア、スイス、アメリカ式１２５Ｖ二種、平刃、丸２ピン及びアメリカ式１２５Ｖのプラグの規格の差込みに対応することを特徴とする、請求項１に記載のダブルコンセントを含むユニバーサル家電アースコンセント。
【請求項６】
前記第三差込口セット、前記第四差込口セット、或いは、前記第五差込口セットは、前記第二差込口セットに同時に対応するとともに、イギリス、インド、中国とオーストラリア１０Ａ及び１６Ａ、デンマーク、アメリカ式２５０Ｖのフィリピン、アメリカ式プラグ１５Ａ及び２０Ａ、中東地域、イスラエル、ブラジル、イタリア、スイス、アメリカ式１２５Ｖ二種、平刃、丸２ピン及びアメリカ式１２５Ｖのプラグの規格の差込みに対応し、ダブルプラグの差込口を形成することを特徴とする、請求項１に記載のダブルコンセントを含むユニバーサル家電アースコンセント。
【請求項７】
前記第三差込口セット及び第二差込口セットは、イギリス、インド、中国とオーストラリア１０Ａ及び１６Ａ、デンマーク、アメリカ式２５０Ｖのフィリピン、アメリカ式プラグ１５Ａ及び２０Ａ、中東地域、イスラエル、ブラジル、イタリア、スイス及びアメリカ式１２５Ｖ二種のプラグの規格の差込みに対応することを特徴とする、請求項１に記載のダブルコンセントを含むユニバーサル家電アースコンセント。
【請求項８】
前記第一差込口セット、前記第二差込口セット、前記第三差込口セット、前記第四差込口セット及び第五差込口セットは、任意の組み合わせで、各種規格に符合するコネクターに設けられることを特徴とする、請求項１に記載のダブルコンセントを含むユニバーサル家電アースコンセント。
【請求項９】
前記コンセントは、各国の標準アースコンセントに対応するとともに、ダブルコンセントの電源プラグの互換性を含むことを特徴とする、請求項１に記載のダブルコンセントを含むユニバーサル家電アースコンセント。
【請求項１０】
前記パネルには、ドイツ及びフランスのプラグの規格に対応する第二カバーパネルが螺合され、前記第二カバーパネルの周縁には、アース導通部が設けられ、前記第二カバーパネルは前記第二差込口セットに対応することを特徴とする、請求項１に記載のダブルコンセントを含むユニバーサル家電アースコンセント。
【発明の詳細な説明】
【技術分野】
【０００１】
本発明はコンセントに関し、特に様々な国の差込口を結合させたダブルコンセントを含むユニバーサル家電アースコンセントに関する。
【背景技術】
【０００２】
現在の電子科学技術の発展は目ざましく、電子製品の設計は、省エネ方式の消費性の高いものが多い。従って、壁に用いられるコンセントに関しても、従来の設計のコンセントの数だと、現在のニーズにこたえられておらず、マルチタップの電源コンセントで対応することが多いが、まれに、電源線プラグが壁のコンセントにしっかり差し込まれず、或いは、時間の経過ととともに緩み、一部が抜けてしまうという欠点がある。それにより、差し込まれている部分の電気伝導の帯電面積が少なくなり、発熱し焦げたり、発火したりする可能性もある。特に、電源コードが長ければ長いほど不利になり、電圧が弱くなるだけでなく、帯電により温度が上昇するため、安全面で切迫した問題があり、改善が待たれている。
【０００３】
このように、コンセントを使用する上で、安全性に問題が発生する確率は非常に高く、プラグとコンセントを相互に差し込む端子は、差し込みのきつさと、帯電面積の負荷エネルギーに関しては、十分な安全性を考えて品質を決めなければならない。特に、現在の物価が絶え間なく上昇する極めて不安定な状況の中では、省エネを達成するとともに、品質と使用効率を高められるような設計を考えなければならない。現在の中国の標準コンセントは、平刃型、丸２ピン型、及びオーストラリア式ハの字型であり、この合計三種類のプラグがよく使用される。また、コンセントは、前記三種類のプラグを差し込むために、コンセントパネルを大きく作るため、材料費がかかるだけでなく、それぞれのコンセントは単独で差すことしかできず、二つ以上の同じ型式のプラグは制限を受け使用することはできないことが多い。さらに、香港が中国に返還されたことに関し、香港で使用されるプラグの標準は、イギリス式プラグがメインであり、シンガポール、マレーシアの華人の地域も同じ型式であり、さらには、台湾のアメリカ式アースプラグも考慮する必要があるため、中国標準は、参考価値、標準の容認と現実の定義に問題がある。
【０００４】
なお、アメリカ式台湾コンセントは、プラグの型式が小さく、また、使用率と安全性を再検討する必要があるため、標準の進化と認知に関し、第一に安全性、第二に使用率、第三に省エネ性、第四に品質保証性、また、当然のことながら第５にエコ性は、その標準の定義を失っていない。
【発明の概要】
【発明が解決しようとする課題】
【０００５】
そこで、本発明は、各国のプラグをテストすることによって、正確な極性の互換性と少数のプラグが差し込めないという欠点を解決し、全世界各国の家電プラグをあまねく使用できる、ダブルコンセントを含むユニバーサル家電アースコンセントを提供することを目的とする。
【０００６】
また、本発明は、より多くの壁コンセントを備え、元々のコンセントの数を更に進化させ、さらに、コンセントにより安全で保険になる制御装置を設けて、災害が発生する確率を減らすことができる、ダブルコンセントを含むユニバーサル家電アースコンセントを提供することを目的とする。
【０００７】
また、本発明は、中国の標準コンセントを備え、元々のアースコンセントの体積で、二つ穴コンセントを含む二つのコンセントを選択して使用することができるため、より便利でより経済的であり、且つ、どんなコネクターにも設けることが可能な、ダブルコンセントを含むユニバーサル家電アースコンセントを提供することを目的とする。
【０００８】
また、本発明は、アメリカと台湾のコンセントを備え、元々のアースコンセントの体積で、二つ穴コンセントを含む複数のコンセントを選択して使用することができ、コンセントに更に安全で保険になる制御装置を設け、また、どんなコネクターにも設けることが可能な、ダブルコンセントを含むユニバーサル家電アースコンセントを提供することを目的とする。
【０００９】
また、本発明は、全世界で最も適用できるコンセントを備え、そのコンセントは異なるニーズ、或いは、各国の標準コンセントの孔の形状をカバーし、汎用化或いは標準化を達成することができる、ダブルコンセントを含むユニバーサル家電アースコンセントを提供することを目的とする。
【課題を解決するための手段】
【００１０】
上述の利点を達成するために、本発明によるダブルコンセントを含むユニバーサル家電アースコンセントは、主に、複数の差込口を備えるパネルを有する。前記パネルはケースに結合され、前記ケース内には、各前記パネルに対応するとともに各国の家電のプラグに接続される極性端子セットが設けられる。また、前記ケースと前記パネルの間には、南アフリカのプラグの規格に対応するセーフティー装置が設けられる。その内、前記パネルには、第一ライブ（Ｌ）差込口、第一ニュートラル（Ｎ）差込口を有する第一差込口セットが設けられ、前記第一差込口セットは南アフリカのプラグの規格に対応する第一アース領域を備え、前記第一差込口セットには、同軸に沿って順番に第二差込口セットが設けられる。前記第二差込口セットは、イギリスのプラグの規格に対応する第二アース領域と、前記第二アース領域の一側に配置されるとともにインドのプラグの規格に対応する第三アース領域と、前記第三アース領域の一側に配置されるとともに中国とオーストラリアのプラグ１０Ａ及び１６Ａ規格に対応する第四アース領域と、前記第四アース領域に隣接するとともにデンマークのプラグの規格に対応する第五アース領域と、前記第五アース領域に対して垂直に設けられるとともにアメリカ式２５０Ｖのフィリピンのプラグ１０Ａ規格に対応する第六アース領域と、前記第六アース領域の一側に設けられるとともにアメリカ式プラグ１５Ａの規格に対応する第七アース領域と、第七アース領域に隣接するとともにアメリカ式プラグ２０Ａの規格に対応する第八アース領域と、前記第八アース領域の一側に配置されるとともに中東地域のプラグの規格に対応する第九アース領域と、前記第九アース領域に隣接するとともにイスラエルのプラグの規格に対応する第十アース領域と、前記第九アース領域及び第十アース領域の一側に形成するとともにブラジルプラグ規格に対応する第十一アース領域と、前記第十一アース領域の一側に形成するとともに前記第十一アース領域に連通し、さらにイタリアのプラグの規格に対応する第十二アース領域と、前記第十二アース領域の一側に形成するとともにスイスのプラグの規格に対応する第十三アース領域と、アメリカ式１２５Ｖ二種のプラグの規格に対応する第十四アース領域及び第十五アース領域とを備える。前記パネルは、ユニバーサル２５０Ｖプラグの規格に符合するとともに第二差込口セットに対応する第三差込口セットと、平刃、丸２ピン、アメリカ式１２５Ｖのプラグの規格に符合するとともに前記第二差込口セットに対応する第四差込口セットと、アメリカ式と平刃型プラグ規格に対応するとともに前記第二差込口セットに対応する第五差込口セットとを含み、前記第三差込口セットは、平刃プラグ形態と丸２ピンプラグ形態及び各国汎用形態を有するコネクタープラグの規格に対応する。特に、前記第三差込口セットと前記第四差込口セットは、第二差込口セットに対応して、ダブルプラグの差込口を形成する。
【発明の効果】
【００１１】
上述した構造と組み合わせにより、本発明は、様々な国のコンセントの規格を統合することができるとともに、ダブルコンセントを備えることができ、プラグの極性の問題を解決し、極性が合わない超磁波を防ぐと同時に、複数のコンセントを一つにまとめるという目的を達成することができる。
【図面の簡単な説明】
【００１２】
【図１】本発明の好ましい実施例のパネルを示した概略図である。
【図２】本発明の好ましい実施例のコンセントを示した分解図である。
【図３】本発明の実施例１のイギリスのプラグの規格を示した概略図である。
【図４】本発明の実施例１のインドのプラグの規格を示した概略図である。
【図５】本発明の実施例１の中国とオーストラリアのプラグ１０Ａと１６Ａの規格を示した概略図１である。
【図６】本発明の実施例１の中国とオーストラリアのプラグ１０Ａと１６Ａの規格を示した概略図２である。
【図７】本発明の実施例１のデンマークのプラグの規格を示した概略図である。
【図８】本発明の実施例１のアメリカ式２５０Ｖのフィリピンのプラグ１０Ａの規格を示した概略図である。
【図９】本発明の実施例１のアメリカ式プラグ１５Ａの規格を示した概略図である。
【図１０】本発明の実施例１のアメリカ式プラグ２０Ａの規格を示した概略図である。
【図１１】本発明の実施例１の中東地域のプラグの規格を示した概略図である。
【図１２】本発明の実施例１のイスラエルのプラグの規格を示した概略図である。示した概略図である。
【図１３】本発明の実施例１のブラジルのプラグの規格を示した概略図である。示した概略図である。
【図１４】本発明の実施例１のイタリアのプラグの規格を示した概略図である。
【図１５】本発明の実施例１のスイスのプラグの規格を示した概略図である。
【図１６】本発明の実施例１のアメリカ式１２５Ｖのプラグの規格を示した概略図１である。
【図１７】本発明の実施例１のアメリカ式１２５Ｖのプラグの規格を示した概略図２である。
【図１８】本発明の実施例１の実施形態を示した概略図である。
【図１９】本発明の実施例２の南アフリカのプラグの規格を示した概略図である。
【図２０】本発明の実施例２の実施形態を示した概略図１である。
【図２１】本発明の実施例２の実施形態を示した概略図２である。
【図２２】本発明の実施例３の実施形態を示した概略図である。
【図２３】本発明の実施例４の実施形態を示した概略図である。
【図２４】本発明の実施例５の実施形態を示した概略図である。
【図２５】本発明の実施例６の実施形態を示した概略図である。
【図２６】本発明の実施例７の実施形態を示した概略図１である。
【図２６Ａ】本発明の実施例７の実施形態を示した概略図２である。
【図２６Ｂ】本発明の実施例７の実施形態を示した概略図３である。
【図２７】本発明の実施例８の実施形態を示した概略図１である。
【図２８】本発明の実施例８の実施形態を示した概略図２である。
【図２９】本発明の実施例８の実施形態を示した概略図３である。
【図３０】本発明の実施例８の実施形態を示した概略図４である。
【図３１】本発明の実施例８の実施形態を示した概略図５である。
【図３２】本発明の実施例８の実施形態を示した概略図６である。
【図３３】本発明の実施例８の実施形態を示した概略図７である。
【図３４】本発明の実施例９の実施形態を示した概略図１である。
【図３５】本発明の実施例９の実施形態を示した概略図２である。
【図３６】本発明の実施例９の実施形態を示した概略図３である。
【図３７】本発明の実施例９の実施形態を示した概略図４である。
【図３８】本発明の実施例９の実施形態を示した概略図５である。
【図３９】本発明の実施例１０の実施形態を示した概略図１である。
【図４０】本発明の実施例１０の実施形態を示した概略図２である。
【図４１】本発明の実施例１０の実施形態を示した概略図３である。
【図４２】本発明の実施例１０の実施形態を示した概略図４である。
【図４３】本発明の実施例１０の実施形態を示した概略図５である。
【図４４】本発明の実施例１０の実施形態を示した概略図６である。
【図４５】本発明の実施例１１の実施形態を示した概略図である。
【発明を実施するための形態】
【００１３】
図１と図２を参照する。図１は、本発明の好ましい実施例のパネルを示した概略図であり、図２は、本発明の好ましい実施例のコンセントを示した分解図である。図から分かるように、本発明によるダブルコンセントを含むユニバーサル家電アースコンセントは、複数の差込口を備えるパネル１を含む。パネル１にはケース２が結合され、ケース２内には、差込口を備えるパネル１に対応するとともに各国の家電プラグに接続できる極性端子セット２１が設けられ、ケース２とパネル１の間には、南アフリカのプラグの規格に対応するセーフティー装置が設けられる。その内、パネル１は、第一ライブ（Ｌ）差込口１０１及び第一中性線（Ｎ）差込口１０２を有する第一差込口セット１０を備え、第一差込口セット１０は、南アフリカのプラグの規格に対応する第一アース領域１００を備える。第一差込口セット１０には、同軸に沿って順番に第二差込口セット２０が設けられる。第二差込口セットは、イギリスのプラグの規格に対応する第二アース領域２０２と、第二アース領域２０２の一側に配置されるとともにインドのプラグの規格に対応する第三アース領域２０３と、第三アース領域２０３の一側に配置されるとともに中国とオーストラリアのプラグ１０Ａ及び１６Ａの規格に対応する第四アース領域２０４と、第四アース領域２０４に隣接するとともにデンマークプラグ規格に対応する第五アース領域２０５と、第五アース領域２０５に対して垂直に設けられるとともにアメリカ式２５０Ｖのフィリピンのプラグ１０Ａの規格に対応する第六アース領域２０６と、第六アース領域２０６の一側に配置されるとともにアメリカ式プラグ１５Ａの規格に対応する第七アース領域２０７と、第七アース領域２０７に隣接するとともにアメリカ式プラグ２０Ａの規格に対応する第八アース領域２０８と、第八アース領域２０８の一側に配置されるとともに中東地域のプラグの規格に対応する第九アース領域２０９と、第九アース領域２０９の一側に配置されるとともにイスラエルのプラグの規格に対応する第十アース領域２１０と、第九アース領域２０９及び第十アース領域２１０の一側に形成するとともにブラジルのプラグの規格に対応する第十一アース領域２１１と、第十一アース領域２１１の一側に形成するとともに第十一アース領域２１１に連通し、さらにイタリアのプラグの規格に対応する第十二アース領域２１２と、第十二アース領域２１２の一側に形成するとともにスイスプラグ規格に対応する第十三アース領域２１３と、アメリカ式１２５Ｖ二種のプラグの規格に対応する第十四アース領域２１４及び第十五アース領域２１５と、を備える。また、パネル１は、ユニバーサル２５０Ｖプラグの規格に符合するとともに第二差込口セット２０に対応する第三差込口セット３０と、平刃、丸２ピン、アメリカ式１２５Ｖのプラグの規格に符合するとともに第二差込口セット２０に対応する第四差込口セット４０と、アメリカ式と平刃型のプラグの規格に対応するとともに前記第二差込口セット２０に対応する第五差込口セット５０とを含み、また、第三差込口セット３０は、平刃プラグ形態と丸２ピンプラグ形態及び各国汎用形態を有するコネクタープラグの規格に対応する。その内、第三差込口セット３０と第四差込口セット４０は第二差込口セット２０に対応して、ダブルプラグの差込口を形成することができる。
【００１４】
図３から図１８を同時に参照する。図３から図１８は、ダブルコンセンを含む各国のアースプラグを示しており、それぞれ、本発明の実施例１のイギリスのプラグの規格を示した概略図、インドのプラグの規格を示した概略図、中国とオーストラリアのプラグ１０Ａと１６Ａの規格を示した概略図１、中国とオーストラリアのプラグ１０Ａと１６Ａの規格を示した概略図２、デンマークのプラグの規格を示した概略図、アメリカ式２５０Ｖのフィリピンのプラグ１０Ａの規格を示した概略図、アメリカ式プラグ１５Ａの規格を示した概略図、アメリカ式プラグ２０Ａの規格を示した概略図、中東地域のプラグの規格を示した概略図、イスラエルのプラグの規格を示した概略図、ブラジルのプラグの規格を示した概略図、イタリアのプラグの規格を示した概略図、スイスのプラグの規格を示した概略図、アメリカ式１２５Ｖのプラグの規格を示した概略図１、アメリカ式１２５Ｖのプラグの規格を示した概略図２、及び、実施形態を示した概略図である。図から分かるように、操作者がイギリスのプラグの規格に対応するプラグを手に持っている時は、そのアース端子、ライブ（Ｌ）端子及びニュートラル（Ｎ）端子を、パネル１の第二アース領域２０２と第三差込口セット３０内に同時に差し込む。もし、操作者がインドのプラグの規格に対応するプラグを手に持っている時は、そのアース端子、ライブ（Ｌ）端子及びニュートラル（Ｎ）端子を、パネル１の第三アース領域２０３及び第三差込口セット３０内に同時に差し込む。もし、操作者が中国とオーストラリアのプラグ１０Ａ及び１６Ａ規格に対応するプラグを手に持っている時は、そのアース端子、ライブ（Ｌ）端子及びニュートラル（Ｎ）端子を、パネル１の第四アース領域２０４及び第三差込口セット３０内に同時に差し込む。もし、操作者がデンマークプラグ規格に対応するプラグを手に持っている時は、そのアース端子、ライブ（Ｌ）端子及びニュートラル（Ｎ）端子をパネル１の第五アース領域２０５及び第三差込口セット３０内に同時に差し込む。もし、操作者がアメリカ式２５０Ｖのフィリピンプラグ１０Ａ規格に対応するプラグを手に持っている時は、そのアース端子、ライブ（Ｌ）端子及びニュートラル（Ｎ）端子を、パネル１の第六アース領域２０６及び第三差込口セット３０内に同時に差し込む。もし、操作者がアメリカ式プラグ１５Ａの規格に対応するプラグを手に持っている時は、そのアース端子、ライブ（Ｌ）端子及びニュートラル（Ｎ）端子をパネル１の第七アース領域２０７と第三差込口セット３０内に同時に差し込む。もし、操作者がアメリカ式プラグ２０Ａの規格に対応するプラグを手に持っている時は、そのアース端子、ライブ（Ｌ）端子及びニュートラル（Ｎ）端子を、パネル１の第八アース領域２０８及び第三差込口セット３０内に同時に差し込む。もし、操作者が中東地域のプラグの規格に対応するプラグを手に持っている時は、そのアース端子、ライブ（Ｌ）端子及びニュートラル（Ｎ）端子をパネル１の第九アース領域２０９及び第三差込口セット３０内に同時に差し込む。もし、操作者がイスラエルのプラグの規格に対応するプラグを手に持っている時は、そのアース端子、ライブ（Ｌ）端子及びニュートラル（Ｎ）端子を、パネル１の第十アース領域２１０及び第三差込口セット３０内に同時に差し込む。もし、操作者がブラジルプラグ規格に対応するプラグを手に持っている時は、そのアース端子、ライブ（Ｌ）端子及びニュートラル（Ｎ）端子を、パネル１の第十一アース領域２１１及び第三差込口セット３０内に同時に差し込む。もし、操作者がイタリアのプラグの規格に対応するプラグを手に持っている時は、そのアース端子、ライブ（Ｌ）端子及びニュートラル（Ｎ）端子をパネル１の第十二アース領域２１２及び第三差込口セット３０内に同時に差し込む。もし、操作者がスイスプラグ規格に対応するプラグを手に持っている時は、そのアース端子、ライブ（Ｌ）端子及びニュートラル（Ｎ）端子を、パネル１の第十三アース領域２１３及び第三差込口セット３０内に同時に差し込む。もし、操作者がアメリカ式１２５Ｖ二種のプラグの規格に対応するプラグを手に持っている時は、そのアース端子、ライブ（Ｌ）端子及びニュートラル（Ｎ）端子を、パネル１の第十四アース領域２１４、第十五アース領域２１５及び第五差込口セット５０内に同時に差し込む。上述の構造と作動により、それに挿入したプラグは電気に接続する目的を達成することができる。また、上述した各アース領域は、使用者のニーズに基づき、第二差込口セット２０を第三差込口セット３０に対応させることができる以外に、第二差込口セット２０を第四差込口セット４０及び第五差込口セット５０に対応させることができる。
【００１５】
図１９から図２１を同時に参照する。図１９から図２１は、本発明の実施例２の南アフリカのプラグの規格を示した概略図、実施形態を示した概略図１、実施形態を示した概略図２である。図から分かるように、パネル１ａとケース２ａの間には、第一差込口セット１０ａ、第一ライブ（Ｌ）差込口１０１ａ及び第一ニュートラル（Ｎ）差込口１０２ａに対応するセーフティー装置４ａが設けられる。セーフティー装置４ａには複数の弾性部材４０ａが設けられ、セーフティー装置４ａには、セーフティー装置４ａを限定的に移動させる少なくとも一つのガイド斜面４１ａが設けられる。第一差込口セット１０ａ内の第一アース領域１００ａ（南アフリカのプラグの規格）を使用したい場合の操作方法と構造は以下の通りである。まず、操作者がプラグ（南アフリカのプラグの規格）を手に持ち、そのプラグ（南アフリカのプラグの規格）がセーフティー装置４ａのガイド斜面４１ａに接触して、セーフティー装置４ａは所定の方向へ移動する。この時、セーフティー装置４ａに設けられた弾性部材４０ａは圧縮され、セーフティー装置４ａが右へ移動した後、プラグ（南アフリカのプラグの規格）が、第一アース領域１００ａ（南アフリカのプラグの規格）及び第一アース領域１００ａに対応する第一ライブ（Ｌ）差込口１０１ａ及び第一ニュートラル（Ｎ）差込口１０２ａ（南アフリカのプラグの規格）に差し込まれ、電気的に連結される。
【００１６】
もし、操作者がプラグ（南アフリカのプラグの規格）を差込口内から引き抜きたい場合は、操作者が手に持ったプラグの一端を差し込んだのと反対方向に向かって移動させると、プラグを引き抜くことができる。この時、セーフティー装置４ａは、弾性部材４０ａ（バネ）の圧力の開放を受け、元の位置に戻る。それにより、異物が侵入して電線に火がついたり、その他の不必要な危害が生じたりするのを防ぐことができる。
【００１７】
図２２を参照する。図２２は、本発明の実施例３の実施形態を示した概略図である。図から分かるように、本発明のパネル１ｂには、第一差込口セット１０ｂ、第二差込口セット２０ｂ、第三差込口セット３０ｂ、第四差込口セット４０ｂ及び第一差込口セット１０ｂに対応する第一ライブ（Ｌ）差込口１０１ｂ及び第一ニュートラル（Ｎ）差込口１０２ｂを含む差込方式が設けられる。
【００１８】
図２３を参照する。図２３は、本発明の実施例４の実施形態を示した概略図である。図から分かるように、本発明のパネル１ｃには、第一差込口セット１０ｃ、第二差込口セット２０ｃ、第三差込口セット３０ｃ、第五差込口セット５０ｃ及び第一差込口セット１０ｃに対応する第一ライブ（Ｌ）差込口１０１ｃ及び第一ニュートラル（Ｎ）差込口１０２ｃを含む差込方式が設けられる。
【００１９】
図２４を参照する。図２４は、本発明の実施例５の実施形態を示した概略図である。図から分かるように、本発明のパネル１ｄには、第二差込口セット２０ｄ、第三差込口セット３０ｄ及び第四差込口セット４０ｄを含む差込方式が設けられる。その内、本実施例は、同時に二種類のプラグ（ダブルを含む）を差し込む実施方式を有する。
【００２０】
図２５を参照する。図２５は、本発明の実施例６の実施形態を示した概略図である。図から分かるように、本発明のパネル１ｅには、第二差込口セット２０ｅ、第三差込口セット３０ｅ及び第五差込口セット５０ｅを含む差込方式が設けられ、この第五差込口セット５０ｅの形態は逆Ｔ字型の形態である。
【００２１】
図２６と図２６Ａと図２６Ｂを参照する。図２６と図２６Ａと図２６Ｂは、本発明の実施例７の実施形態を示した概略図１から３である。図から分かるように、本発明のパネル１ｆには、第二差込口セット２０ｆ、第三差込口セット３０ｆ及び第四差込口セット４０ｆを含む差込方式が設けられ、前記第四差込口セット４０ｆは、実施例６の第五差込口セットと同じであり、それにより、本実施例も二種類のプラグ（ダブルを含む）に差し込む実施方式を備えることができる。図二十六Ａは、第二差込口セット２０ｆ及び第三差込口セット３０ｆを備えるとともに、ブラジルのプラグの規格に対応し、ダブル差込口を備える。一方、図２６Ｂは、第二差込口セット２０ｆ、第三差込口セット３０ｆ、第四差込口セット４０ｆを備えるとともに、ブラジルのプラグの規格とアメリカ式プラグ規格のコンセントに対応する。
【００２２】
図２７から図３３を参照する。図２７から図３３は、本発明の実施例８の実施形態を示した概略図１から７である。図から分かるように、本実施例のパネル１ｇには、主に、中国、香港及び台湾の差込方式が設けられる。また、このパネル１ｇは、平刃、丸２ピンプラグの規格の差込に対応することができる。その内、前記パネルは、単一のパネル（図２７と図２８と図３１を参照。特に、図２８は、ダブルコンセントを含む中国の標準アースコンセントである）、横式のダブルパネル（図３２を参照）、或いは、ヒューズを加えた横式のダブルパネル（図２９を参照）、或いは、垂直式ダブルパネル（図３０と図３３を参照）にすることができる。以上の全てが、本実施例の特徴である。
【００２３】
図３４から図３８を参照する。図３４から図３８は、本発明の実施例９の実施形態を示した概略図１から５である。図から分かるように、本実施例では、パネル１ｈに、アメリカ及び台湾標準に対応するプラグの規格が設けられる。その内、パネル１ｈは、単一のパネル且つダブルコンセントを含む標準アースコンセント（図３４を参照）であり、延長線コードのコンセントに用いられ（図３５を参照）るか、或いは、ヒューズが設けられた横式ダブルパネルにすることができ（図３６と図３７を参照）、図３８に示すように、アース孔を備えるアメリカ式プラグを挿入する時、前記差込口内に反対に差し込むことはできない。
【００２４】
図３９から図４４を参照する。図３９から図４４は、本発明の実施例１０の実施形態を示した概略図１から６である。図から分かるように、ユニバーサルプラグに符合する差込口に対応させるために、本発明のパネルには、世界各国を有する第一カバーパネル６ｉが螺合される。その内、前記第一カバーパネル６ｉは、イギリス、スイス、ブラジル、イタリア或いは中国等の差込口パネルに対応する。その内、本実施例は、更に、ドイツとフランスに対応する第二カバーパネルを含み、第二カバーパネル６ｉは少なくとも一本のネジ６０ｉでパネルに螺合され、前記ライブ（Ｌ）差込口及びニュートラル（Ｎ）差込口は、前記第二差込口セット２０ｉ或いは相互に対応する差込口に対応する。それにより、各種のプラグを差し込むことができる。
【００２５】
図４５を参照する。図４５は、本発明の実施例１１の実施形態を示した概略図である。図から分かるように、本発明のパネル１ｊには、第二差込口セット２０ｊ及び第三差込口セット３０ｊを含む差込方式が設けられる。
【符号の説明】
【００２６】
１、１ａ、１ｂ、１ｃ、１ｄ、１ｅ、１ｆ、１ｇ、１ｈ、１ｊ    パネル
１０、１０ａ、１０ｂ、１０ｃ    第一差込口セット
１００、１００ａ  第一アース領域
１０１、１０１ａ、１０１ｂ、１０１ｃ  第一ライブ（Ｌ）差込口
１０２、１０２ａ、１０２ｂ、１０２ｃ  第一ニュートラル（Ｎ）差込口
２、２ａ  ケース
２１      極性端子セット
２０、２０ｂ、２０ｃ、２０ｄ、２０ｅ、２０ｆ、２０ｉ、２０ｊ  第二差込口セット
２０２    第二アース領域
２０３    第三アース領域
２０４    第四アース領域
２０５    第五アース領域
２０６    第六アース領域
２０７    第七アース領域
２０８    第八アース領域
２０９    第九アース領域
２１０    第十アース領域
２１１    第十一アース領域
２１２    第十二アース領域
２１３    第十三アース領域
２１４    第十四アース領域
２１５    第十五アース領域
３０、３０ｂ、３０ｃ、３０ｄ、３０ｅ、３０ｆ、３０ｊ
第三差込口セット
４０、４０ｂ、４０ｄ、４０ｆ    第四差込口セット
５０、５０ｃ、５０ｅ  第五差込口セット
４ａ    セーフティー装置
４０ａ  弾性部材
４１ａ  ガイド斜面
６ｉ    第一カバーパネル
５ｉ    第二カバーパネル
６０ｉ  ネジ
【図１】
0005252666.tif 000002
【図２】
0005252666.tif 000003
【図３】
0005252666.tif 000004
【図４】
0005252666.tif 000005
【図５】
0005252666.tif 000006
【図６】
0005252666.tif 000007
【図７】
0005252666.tif 000008
【図８】
0005252666.tif 000009
【図９】
0005252666.tif 000010
【図１０】
0005252666.tif 000011
【図１１】
0005252666.tif 000012
【図１２】
0005252666.tif 000013
【図１３】
0005252666.tif 000014
【図１４】
0005252666.tif 000015
【図１５】
0005252666.tif 000016
【図１６】
0005252666.tif 000017
【図１７】
0005252666.tif 000018
【図１８】
0005252666.tif 000019
【図１９】
0005252666.tif 000020
【図２０】
0005252666.tif 000021
【図２１】
0005252666.tif 000022
【図２２】
0005252666.tif 000023
【図２３】
0005252666.tif 000024
【図２４】
0005252666.tif 000025
【図２５】
0005252666.tif 000026
【図２６】
0005252666.tif 000027
【図２６Ａ】
0005252666.tif 000028
【図２６Ｂ】
0005252666.tif 000029
【図２７】
0005252666.tif 000030
【図２８】
0005252666.tif 000031
【図２９】
0005252666.tif 000032
【図３０】
0005252666.tif 000033
【図３１】
0005252666.tif 000034
【図３２】
0005252666.tif 000035
【図３３】
0005252666.tif 000036
【図３４】
0005252666.tif 000037
【図３５】
0005252666.tif 000038
【図３６】
0005252666.tif 000039
【図３７】
0005252666.tif 000040
【図３８】
0005252666.tif 000041
【図３９】
0005252666.tif 000042
【図４０】
0005252666.tif 000043
【図４１】
0005252666.tif 000044
【図４２】
0005252666.tif 000045
【図４３】
0005252666.tif 000046
【図４４】
0005252666.tif 000047
【図４５】
0005252666.tif 000048